(57)【要約】【課題】    本発明の目的は、粘着部を有したマスクを提供するものである。【解決手段】    マスクＭは、矩形形状であるマスク本体１と、このマスク本体１の左端部に沿って取り付けられ、左耳掛け部２の取付部である左取付体４と、マスク本体１の右端部に沿って取り付けられ、右耳掛け部３の取付部である右取付体５と、マスク本体１の上端縁の近傍であって、該上端縁に平行に沿って設けられると共に、一端を左取付体４とマスク本体１との間に、他端を右取付体５とマスク本体１との間に位置した剥離紙付き粘着両面テープ６と、この剥離紙付き粘着両面テープ６は、一方の面の粘着部がマスク本体１に付着し、他方の面の粘着部６ａに剥離紙６ｂが付着しているものである。【選択図】図１
2011110306.tif 000002
【特許請求の範囲】
【請求項１】
矩形形状であるマスク本体と、
このマスク本体の左端部に沿って取り付けられ、左耳掛け部の取付部である左取付体
と、
前記マスク本体の右端部に沿って取り付けられ、右耳掛け部の取付部である右取付体
と、
前記マスク本体の上端縁の近傍であって、該上端縁に平行に沿って設けられると共に
、一端を前記左取付体と前記マスク本体との間に、他端を前記右取付体と前記マスク本体
との間に位置した剥離紙付き粘着両面テープとを備え、
この剥離紙付き両面テープは、一方の面の粘着部が前記マスク本体に付着し、他方の
面の粘着部に剥離紙が付着し、
前記左取付体と前記剥離紙付き粘着両面テープの一端とが交差する部位は第１の交差部位であり、
前記左取付体の前記第１の交差部位の手前の位置において、前記左取付体と前記マスク本体とが付着し、
前記左取付体の前記第１の交差部位を超えた位置において、前記左取付体と前記マスク本体とが付着し、
前記右取付体と前記剥離紙付き粘着両面テープの他端とが交差する部位は第２の交差部位であり、
前記右取付体の前記第２の交差部位の手前の位置において、前記右取付体と前記マスク本体とが付着し、
前記右取付体の前記第２の交差部位を超えた位置において、前記右取付体と前記マスク本体とが付着している
ことを特徴とするてマスク。
【請求項２】
矩形形状であるマスク本体と、
このマスク本体の左端部に沿って取り付けられ、左耳掛け部の取付部である左取付体
と、
前記マスク本体の右端部に沿って取り付けられ、右耳掛け部の取付部である右取付体
と、
前記マスク本体の上端縁の近傍であって、該上端縁に平行に沿って設けられると共に
、一端を前記左取付体と前記マスク本体との間に、他端を前記右取付体と前記マスク本体
との間に位置した両面粘着部とを備え、
この両面粘着部は、一方の面の粘着部が前記マスク本体に付着し、他方の面の粘着部に前記左取付体及び前記右取付体が付着し、
前記他方の面の粘着部であって、前記左取付体又は前記右取付体が付着していない部位に剥離テープが付着し、
前記左取付体と前記両面粘着部の一端とが交差する部位は第１の交差部位であり、
前記左取付体の前記第１の交差部位の手前の位置において、前記左取付体と前記マスク本体とが付着し、
前記左取付体の前記第１の交差部位を超えた位置において、前記左取付体と前記マスク本体とが付着し、
前記右取付体と前記両面粘着部の他端とが交差する部位は第２の交差部位であり、
前記右取付体の前記第２の交差部位の手前の位置において、前記右取付体と前記マスク本体とが付着し、
前記右取付体の前記第２の交差部位を超えた位置において、前記右取付体と前記マスク本体とが付着している
ことを特徴とするてマスク。
【請求項３】
矩形形状であるマスク本体と、
このマスク本体の左端部に沿って取り付けられ、左耳掛け部の取付部である左取付体
と、
前記マスク本体の右端部に沿って取り付けられ、右耳掛け部の取付部である右取付体
と、
前記マスク本体の上端縁の近傍であって、該上端縁に平行に沿って設けられると共に
、一端を前記左取付体と前記マスク本体との間に、他端を前記右取付体と前記マスク本体
との間に位置した熱融着性テープ付き粘着両面テープとを備え、
この熱融着性テープ付き粘着両面テープは、一方の面の粘着部が前記マスク本体に付着し、他方の面の粘着部に熱融着性テープが付着し、
前記左取付体と前記熱融着性テープ付き粘着両面テープの一端とが交差する部位は第１の交差部位であり、
前記左取付体の前記第１の交差部位の手前の位置において、前記左取付体と前記マスク本体とが超音波融着により付着し、
前記左取付体の前記第１の交差部位を超えた位置において、前記左取付体と前記マスク本体とが超音波融着により付着し、
前記右取付体と前記熱融着性テープ付き粘着両面テープの他端とが交差する部位は第２の交差部位であり、
前記右取付体の前記第２の交差部位の手前の位置において、前記右取付体と前記マスク本体とが超音波融着により付着し、
前記右取付体の前記第２の交差部位を超えた位置において、前記右取付体と前記マスク本体とが超音波融着により付着している
ことを特徴とするてマスク。
【請求項４】
熱融着性テープ付き粘着両面テープの左取付体付近に前記熱融着性テープ付き粘着両面テープの長手方向を横断する方向に第１の易破断部が、
前記熱融着性テープ付き粘着両面テープの右取付体付近に前記熱融着性テープ付き粘着両面テープの長手方向を横断する方向に第２の易破断部が、
それぞれ設けられていることを特徴とする請求項３記載のマスク。
【請求項５】
熱融着性テープ付き粘着両面テープの粘着部の幅より、前記熱融着性テープ付き粘着両面テープの熱融着性テープの幅が大きく、前記熱融着性テープ付き粘着両面テープがマスク本体の上端縁より超えないように前記粘着部に付着している
ことを特徴とする請求項３又は請求項４記載のマスク。
【請求項６】
両面粘着部の幅より剥離テープの幅が大きく、前記剥離テープがマスク本体の上端縁より超えないように前記両面粘着部に付着している
ことを特徴とする請求項２記載のマスク。
【発明の詳細な説明】
【技術分野】
【０００１】
本発明は、マスクに係り、特に、粘着部を有したマスクに関する。
【０００２】
従来、粘着部を有したマスクがある（例えば、特許文献１参照）。
【特許文献１】特開２００６−２８８６５０号公報
【発明の開示】
【発明が解決しようとする課題】
【０００３】
このマスクにあっては、装着したとき、呼気によりメガネが曇ったり、また、ホコリ
、花粉等の侵入を防ぐために、粘着部でマスクと顔面との密着性を図るようにしている。
しかしながら、上記マスクにあっては、マスクの粘着部が露出しているため、マスク
の粘着部を嫌う人には、該マスクの使用ができず、しかも、常時、マスクの粘着部が露出
していると、粘着部にホコリ等が付着し、粘着強度を低下させるという問題点があった。
【０００４】
本発明は、上記の問題点を除去するようにしたマスクを提供することを目的とする。
【課題を解決するための手段】
【０００５】
本発明のマスクは、矩形形状であるマスク本体と、このマスク本体の左端部に沿って取り付けられ、左耳掛け部の取付部である左取付体と、前記マスク本体の右端部に沿って取り付けられ、右耳掛け部の取付部である右取付体と、前記マスク本体の上端縁の近傍であって、該上端縁に平行に沿って設けられると共に、一端を前記左取付体と前記マスク本体との間に、他端を前記右取付体と前記マスク本体との間に位置した剥離紙付き粘着両面テープとを備え、この剥離紙付き両面テープは、一方の面の粘着部が前記マスク本体に付着し、他方の面の粘着部に剥離紙が付着し、前記左取付体と前記剥離紙付き粘着両面テープの一端とが交差する部位は第１の交差部位であり、前記左取付体の前記第１の交差部位の手前の位置において、前記左取付体と前記マスク本体とが付着し、前記左取付体の前記第１の交差部位を超えた位置において、前記左取付体と前記マスク本体とが付着し、前記右取付体と前記剥離紙付き粘着両面テープの他端とが交差する部位は第２の交差部位であり、前記右取付体の前記第２の交差部位の手前の位置において、前記右取付体と前記マスク本体とが付着し、前記右取付体の前記第２の交差部位を超えた位置において、前記右取付体と前記マスク本体とが付着しているものである。
【０００６】
また、請求項２記載のマスクは、矩形形状であるマスク本体と、このマスク本体の左端部に沿って取り付けられ、左耳掛け部の取付部である左取付体と、前記マスク本体の右端部に沿って取り付けられ、右耳掛け部の取付部である右取付体と、前記マスク本体の上端縁の近傍であって、該上端縁に平行に沿って設けられると共に、一端を前記左取付体と前記マスク本体との間に、他端を前記右取付体と前記マスク本体との間に位置した両面粘着部とを備え、この両面粘着部は、一方の面の粘着部が前記マスク本体に付着し、他方の面の粘着部に前記左取付体及び前記右取付体が付着し、前記他方の面の粘着部であって、前記左取付体又は前記右取付体が付着していない部位に剥離テープが付着し、前記左取付体と前記両面粘着部の一端とが交差する部位は第１の交差部位であり、前記左取付体の前記第１の交差部位の手前の位置において、前記左取付体と前記マスク本体とが付着し、前記左取付体の前記第１の交差部位を超えた位置において、前記左取付体と前記マスク本体とが付着し、前記右取付体と前記両面粘着部の他端とが交差する部位は第２の交差部位であり、前記右取付体の前記第２の交差部位の手前の位置において、前記右取付体と前記マスク本体とが付着し、前記右取付体の前記第２の交差部位を超えた位置において、前記右取付体と前記マスク本体とが付着しているものである。
【０００７】
また、請求項３記載のマスクは、矩形形状であるマスク本体と、このマスク本体の左端部に沿って取り付けられ、左耳掛け部の取付部である左取付体と、前記マスク本体の右端部に沿って取り付けられ、右耳掛け部の取付部である右取付体と、前記マスク本体の上端縁の近傍であって、該上端縁に平行に沿って設けられると共に、一端を前記左取付体と前記マスク本体との間に、他端を前記右取付体と前記マスク本体との間に位置した熱融着性テープ付き粘着両面テープとを備え、この熱融着性テープ付き粘着両面テープは、一方の面の粘着部が前記マスク本体に付着し、他方の面の粘着部に熱融着性テープが付着し、前記左取付体と前記熱融着性テープ付き粘着両面テープの一端とが交差する部位は第１の交差部位であり、前記左取付体の前記第１の交差部位の手前の位置において、前記左取付体と前記マスク本体とが超音波融着により付着し、前記左取付体の前記第１の交差部位を超えた位置において、前記左取付体と前記マスク本体とが超音波融着により付着し、前記右取付体と前記熱融着性テープ付き粘着両面テープの他端とが交差する部位は第２の交差部位であり、前記右取付体の前記第２の交差部位の手前の位置において、前記右取付体と前記マスク本体とが超音波融着により付着し、前記右取付体の前記第２の交差部位を超えた位置において、前記右取付体と前記マスク本体とが超音波融着により付着しているものである。
【０００８】
また、請求項４記載のマスクは、請求項３記載のマスクにおいて、熱融着性テープ付き粘着両面テープの左取付体付近に前記熱融着性テープ付き粘着両面テープの長手方向を横断する方向に第１の易破断部が、前記熱融着性テープ付き粘着両面テープの右取付体付近に前記熱融着性テープ付き粘着両面テープの長手方向を横断する方向に第２の易破断部がそれぞれ設けられているものである。
【０００９】
また、請求項５記載のマスクは、請求項３又は請求項４記載のマスクにおいて、熱融着性テープ付き粘着両面テープの粘着部の幅より、前記熱融着性テープ付き粘着両面テープの熱融着性テープの幅が大きく、前記熱融着性テープ付き粘着両面テープがマスク本体の上端縁より超えないように前記粘着部に付着しているものである。
【００１０】
また、請求項６記載のマスクは、請求項２記載のマスクにおいて、両面粘着部の幅より剥離テープの幅が大きく、前記剥離テープがマスク本体の上端縁より超えないように前記両面粘着部に付着しているものである。
【発明の効果】
【００１１】
請求項１記載のマスクによれば、剥離紙付き粘着両面テープを使用しているため、マスクの装着に当たって、粘着部の使用を嫌う使用者には、剥離紙を剥がさず、そのまま使用するマスクを提供してマスクの使用の選択ができ、しかも、剥離紙付き粘着両面テープは、一端を左取付体とマスク本体との間に、他端を右取付体とマスク本体との間に位置し、マスク本体の上端縁に平行に沿って設けられ、前記左取付体と前記剥離紙付き粘着両面テープの一端とが交差する部位は第１の交差部位であり、前記左取付体の前記第１の交差部位の手前の位置において、前記左取付体と前記マスク本体とが付着し、前記左取付体の前記第１の交差部位を超えた位置において、前記左取付体と前記マスク本体とが付着し、前記右取付体と前記剥離紙付き粘着両面テープの他端とが交差する部位は第２の交差部位であり、前記右取付体の前記第２の交差部位の手前の位置において、前記右取付体と前記マスク本体とが付着し、前記右取付体の前記第２の交差部位を超えた位置において、前記右取付体と前記マスク本体とが付着しているため、剥離紙付き粘着両面テープの取り付け付近の左取付体及び右取付体のめくれを防止し、剥離紙付き粘着両面テープがマスク本体から離脱するのを防ぐことができる。
【００１２】
また、請求項２記載のマスクによれば、剥離テープを使用しているため、マスクの装着に当たっては、マスクを広げ、その際、粘着部の使用を嫌う使用者には、剥離テープを剥がさず、そのまま使用するマスクを提供してマスクの使用の選択ができ、しかも、両面粘着部は、一端を左取付体とマスク本体との間に、他端を右取付体とマスク本体との間に位置し、マスク本体の上端縁に平行に沿って設けられ、左取付体と両面粘着部の一端とが交差する部位は第１の交差部位であり、左取付体の第１の交差部位の手前の位置において、左取付体とマスク本体とが付着し、左取付体の第１の交差部位を超えた位置において、左取付体とマスク本体とが付着し、右取付体と両面粘着部の他端とが交差する部位は第２の交差部位であり、右取付体の第２の交差部位の手前の位置において、右取付体とマスク本体とが付着し、右取付体の第２の交差部位を超えた位置において、右取付体とマスク本体とが付着しているため、両面粘着部の取り付け付近の左取付体及び右取付体のめくれを防止し、両面粘着部がマスク本体から離脱するのを防ぐことができる。
【００１３】
また、請求項３記載のマスクによれば、熱融着性テープ付き粘着両面テープを使用しているため、マスクの装着に当たって、粘着部の使用を嫌う使用者には、熱融着性テープを剥がさず、そのまま使用するマスクを提供してマスクの使用の選択ができ、しかも、熱融着性テープ付き粘着両面テープは、一端を左取付体とマスク本体との間に、他端を右取付体とマスク本体との間に位置し、マスク本体の上端縁に平行に沿って設けられ、前記左取付体と前記熱融着性テープ付き粘着両面テープの一端とが交差する部位は第１の交差部位であり、前記左取付体の前記第１の交差部位の手前の位置において、前記左取付体と前記マスク本体とが付着し、前記左取付体の前記第１の交差部位を超えた位置において、前記左取付体と前記マスク本体とが付着し、前記右取付体と前記熱融着性テープ付き粘着両面テープの他端とが交差する部位は第２の交差部位であり、前記右取付体の前記第２の交差部位の手前の位置において、前記右取付体と前記マスク本体とが付着し、前記右取付体の前記第２の交差部位を超えた位置において、前記右取付体と前記マスク本体とが付着しているため、熱融着性テープ付き粘着両面テープの取り付け付近の左取付体及び右取付体のめくれを防止し、熱融着性テープ付き粘着両面テープがマスク本体から離脱するのを防ぐことができる。
【発明を実施するための最良の形態】
【００１４】
（実施例１）
図１〜図７に示すＭはマスクで、マスクＭは、広げない状態において、平面視、矩形形状であるマスク本体１を有し、このマスク本体１の上端縁に平行な複数の折り目１１、１１、１１が設けられている（図１参照）。なお、マスク本体１は、例えば、複数の素材を積層して形成されているが、本実施例の図（図１、図３、図４、図９、図１１、図１２、図１４、図１７〜図１９）においては、積層状態を省略している。
２は左耳掛け部で、３は右耳掛け部で、左耳掛け部２及び右耳掛け部３は、例えば、ゴムタイプ、紐タイプのものである（以下の実施例２、３も同様）。また、４は、左耳掛け部２の取付部である左取付体で、左取付体４は、マスク本体１の左端部を覆うと共に、マスク本体１の左端部に沿って取り付けられている。なお、左取付体４の長手方向を横断する断面形状は、略逆コ字状となっている（図４参照）。
また、５は、右耳掛け部の取付部である右取付体で、右取付体５は、マスク本体１の右端部を覆うと共に、マスク本体１の右端部に沿って取り付けられている。なお、右取付体５の長手方向を横断する断面形状は、略コ字状となっている（図４参照）。
【００１５】
図５に示す６は、マスク本体１の上端縁の近傍であって、該上端縁に平行に沿って設
けられた剥離紙付き粘着両面テープで、剥離紙付き粘着両面テープ６は、図４に示すように、一端を左取付体４とマスク本体１との間に、他端を右取付体５とマスク本体１との間に位置し、この剥離紙付き粘着両面テープ６は、一方の面の粘着部がマスク本体１に付着し、他方の面の粘着部６ａに剥離紙６ｂが付着している。
そして、左取付体４と剥離紙付き粘着両面テープ６の一端とが交差する部位は第１の交差部位Ｘ（図２参照）であり、左取付体４の前記第１の交差部位Ｘ（図２参照）の手前の位置において、左取付体４とマスク本体１とが付着し（付着は、例えば、超音波融着であり、付着部位を図２に符号４１で示す。）、左取付体４の第１の交差部位Ｘ（図２参照）を超えた位置において、左取付体４とマスク本体１とが付着（付着は、例えば、超音波融着であり、付着部位を図２に符号４２で示す。）している。
また、右取付体５と剥離紙付き粘着両面テープ６の他端とが交差する部位は第２の交差部位Ｙ（図２参照）であり、右取付体５の第２の交差部位Ｙ（図２参照）の手前の位置において、右取付体５とマスク本体１とが付着し（付着は、例えば、超音波融着であり、付着部位を図２に符号５１で示す。）、右取付体５の第２の交差部位Ｙ（図２参照）を超えた位置において、右取付体５とマスク本体１とが付着（付着は、例えば、超音波融着であり、付着部位は、図２に符号５２で示す。）している。
なお、図１の●は、超音波融着する際の押圧した跡を示し、図５、図６（後述する図８、図１０、図１３、図１５、図１６）においては、超音波融着する際の押圧した跡である●を省略している。
【００１６】
従って、上述したマスクＭによれば、剥離紙付き粘着両面テープ６を使用しているため、マスクＭの装着にあっては、図６に示す方向に広げ、その際、粘着部６ａの使用を嫌う使用者には、剥離紙６ｂを剥がさず、そのまま使用するマスクＭを提供してマスクＭの使用の選択ができ、しかも、剥離紙付き粘着両面テープ６は、一端を左取付体４とマスク本体１との間に、他端を右取付体５とマスク本体１との間に位置し、マスク本体１の上端縁に平行に沿って設けられ、左取付体４と剥離紙付き粘着両面テープ６の一端とが交差する部位は第１の交差部位Ｘ（図２参照）であり、左取付体４の第１の交差部位Ｘ（図２参照）の手前の位置において、左取付体４とマスク本体１とが付着し、左取付体４の第１の交差部位Ｘ（図２参照）を超えた位置において、左取付体４とマスク本体１とが付着し、右取付体５と剥離紙付き粘着両面テープ６の他端とが交差する部位は第２の交差部位Ｙ（図２参照）であり、右取付体５の第２の交差部位Ｙ（図２参照）の手前の位置において、右取付体５とマスク本体１とが付着し、右取付体５の第２の交差部位Ｙ（図２参照）を超えた位置において、右取付体５とマスク本体１とが付着しているため、剥離紙付き粘着両面テープ６の取り付け付近の左取付体４及び右取付体５のめくれを防止し、剥離紙付き粘着両面テープ６がマスク本体１から離脱するのを防ぐことができる。
【００１７】
（実施例２）
上述の実施例１においては、剥離紙付き粘着両面テープ６をマスク本体１に付着させた状態でマスクMを形成したが、次に示す実施例２（図８〜図１２）は、剥離紙付き粘着両面テープ６の剥離紙６ｂを取り外して、マスクMを形成するものである。
即ち、図１０は、上述の実施例１と同様に、剥離紙付き粘着両面テープ６をマスク本体１に付着させ、付着後、剥離紙付き粘着両面テープ６から剥離紙６ｂを取り外した状態を示すもので、剥離紙付き粘着両面テープ６から剥離紙６ｂを取り外した残部は、両面粘着部となる。この両面粘着部は、マスク本体１の上端縁の近傍であって、該上端縁に平行に沿って設けられ、両面粘着部は、一方の面６Ｂの粘着部がマスク本体１に付着し、他方の面６Ａの粘着部６ａに左取付体４及び右取付体５が付着することとなる。
そして、図１０の状態のマスク本体１に、左耳掛け部２の取付部である左取付体４をマスク本体１の左端部を覆うようにして前記左端部に沿って、例えば、超音波融着によって取り付け、右耳掛け部３の取付部である右取付体５をマスク本体１の右端部に沿って、例えば、超音波融着によって取り付けられている。
左取付体４をマスク本体１の左端部に沿って付着することに伴い、左取付体４の第１の交差部位Ｘ（図９参照）の手前の位置において、左取付体４とマスク本体１とが付着（付着は、例えば、超音波融着であり、付着部位を図９に符号４１で示す。）し、左取付体４の第１の交差部位Ｘ（図９参照）を超えた位置において、左取付体４とマスク本体１とが付着（付着は、例えば、超音波融着であり、付着部位を図９に符号４２で示す。）する。なお、左取付体４と両面粘着部の一端とが交差する部位は第１の交差部位Ｘ（図９参照）である。
また、右取付体５をマスク本体１の右端部に沿って付着することに伴い、右取付体５の第２の交差部位Ｙ（図９参照）の手前の位置において、右取付体５とマスク本体１とが付着（付着は、例えば、超音波融着であり、付着部位を図９に符号５１で示す。）し、右取付体５の第２の交差部位Ｙ（図９参照）を超えた位置において、右取付体５とマスク本体１とが付着（付着は、例えば、超音波融着であり、付着部位を図９に符号５２で示す。）している。なお、右取付体５と前記両面粘着部の他端とが交差する部位は第２の交差部位Ｙ（図９参照）である。
その結果、両面粘着部の一端は左取付体４とマスク本体１との間に、両面粘着部の他端は右取付体５とマスク本体１との間に位置することとなる。
そして、剥離テープ１０を両面粘着部の他方の面６Ａの粘着部であって、左取付体４又は右取付体５が付着していない部位に付着させる。剥離テープ１０の幅Ｗは、両面粘着部の幅ｗと同じでも良いが、望ましくは、剥離テープ１０の幅Ｗを両面粘着部の幅ｗより大きくして、剥離テープ１０を粘着部６ａから分離し易いと共に、粘着部６ａの粘着剤が染み出してマスクＭを積層した場合、マスクＭ同士がくっ付くという問題を解消するようにするのが良い。
【００１８】
従って、上述したマスクＭによれば、剥離テープ１０を使用しているため、マスクＭの装着にあっては、実施例１と同様、例えば、図６に示す方向に広げ、その際、粘着部６ａの使用を嫌う使用者には、剥離テープ１０を剥がさず、そのまま使用するマスクＭを提供してマスクＭの使用の選択ができ、しかも、両面粘着部は、一端を左取付体４とマスク本体１との間に、他端を右取付体５とマスク本体１との間に位置し、マスク本体１の上端縁に平行に沿って設けられ、左取付体４と両面粘着部の一端とが交差する部位は第１の交差部位Ｘ（図９参照）であり、左取付体４の第１の交差部位Ｘ（図９参照）の手前の位置において、左取付体４とマスク本体１とが付着し、左取付体４の第１の交差部位Ｘ（図９参照）を超えた位置において、左取付体４とマスク本体１とが付着し、右取付体５と両面粘着部の他端とが交差する部位は第２の交差部位Ｙ（図９参照）であり、右取付体５の第２の交差部位Ｙ（図２参照）の手前の位置において、右取付体５とマスク本体１とが付着し、右取付体５の第２の交差部位Ｙ（図２参照）を超えた位置において、右取付体５とマスク本体１とが付着しているため、両面粘着部の取り付け付近の左取付体４及び右取付体５のめくれを防止し、両面粘着部がマスク本体１から離脱するのを防ぐことができる。  
【００１９】
（実施例３）
上述の実施例２においては、剥離紙付き粘着両面テープ６の剥離紙６ｂを取り外して、剥離紙付き粘着両面テープ６の粘着部６ａに左取付体４及び右取付体５を直接付着させ、露出した粘着部６ａ（左取付体４及び右取付体５が付着していない粘着部６ａ）に剥離テープ１０を付着させたマスクMを形成したが、次に示す実施例（図１３乃至図１９）は、粘着部６ａと左取付体４、粘着部６ａと右取付体５の間に、位置する帯状の熱融着性テープ２０（例えば、ポリプロピレン、ポリエチレン等）を介在させたものである。
即ち、図１６は、上述の実施例１と同様に、剥離紙付き粘着両面テープ６をマスク本体１に付着させ、付着後、剥離紙付き粘着両面テープ６から剥離紙６ｂを取り外した状態を示すもので、剥離紙付き粘着両面テープ６から剥離紙６ｂを取り外した残部に（図１７参照）、熱融着性テープ２０を付着させるものである（図１８参照）。熱融着性テープ２０の長さは、剥離紙付き粘着両面テープ６の粘着部６ａの長さと同じであり、熱融着性テープ２０の幅Ｗは、粘着部６ａの幅ｗと同じでも良いが、望ましくは、熱融着性テープ２０の幅Ｗを粘着部６ａの幅ｗより大きくして、熱融着性テープ２０を粘着部６ａから分離し易いようにするのが良い。
なお、粘着部６ａ、該粘着部６ａの反対側の面の粘着部、熱融着性テープ２０により熱融着性テープ付き粘着両面テープが形成される。この熱融着性テープ付き粘着両面テープは、マスク本体１の上端縁の近傍であって、該上端縁に平行に沿って設けられている。
熱融着性テープ２０の付着後、図１８の状態のマスク本体１に、左耳掛け部２の取付部である左取付体４をマスク本体１の左端部を覆うようにして前記左端部に沿って、例えば、超音波融着によって取り付け、右耳掛け部３の取付部である右取付体５をマスク本体１の右端部に沿って、例えば、超音波融着によって取り付ける（図１９参照）。
左取付体４をマスク本体１の左端部に沿って超音波融着により付着することに伴い、第１の交差部位Ｘ（図１４参照）で超音波融着により付着すると共に、左取付体４の第１の交差部位Ｘ（図１４参照）の手前の位置において、左取付体４とマスク本体１とが超音波融着により付着（付着部位を図１４に符号４１で示す。）し、左取付体４の第１の交差部位Ｘ（図１４参照）を超えた位置において、左取付体４とマスク本体１とが超音波融着により付着（付着部位を図１４に符号４２で示す。）する。なお、左取付体４と熱融着性テープ付き粘着両面テープの一端とが交差する部位は第１の交差部位Ｘ（図１４参照）である。
また、右取付体５をマスク本体１の右端部に沿って超音波融着により付着することに伴い、第２の交差部位Ｙ（図１４参照）で超音波融着により付着すると共に、右取付体５の第２の交差部位Ｙ（図１４参照）の手前の位置において、右取付体５とマスク本体１とが超音波融着により付着（付着部位を図１４に符号５１で示す。）し、右取付体５の第２の交差部位Ｙ（図１４参照）を超えた位置において、右取付体５とマスク本体１とが超音波融着により付着（付着部位を図１４に符号５２で示す。）している。なお、右取付体５と熱融着性テープ付き粘着両面テープの他端とが交差する部位は第２の交差部位Ｙ（図１４参照）である。
その結果、上述の熱融着性テープ付き粘着両面テープの一端は左取付体４とマスク本体１との間に、上述の熱融着性テープ付き粘着両面テープの他端は右取付体５とマスク本体１との間に位置することとなる。上述の熱融着性テープ付き粘着両面テープは、一方の面の粘着部がマスク本体１に付着し、他方の面の粘着部６ａに熱融着性テープ２０が付着している。
なお、熱融着性テープ付き粘着両面テープの左取付体４の付近に前記熱融着性テープ付き粘着両面テープの長手方向を横断する方向に第１の易破断部２０Ａ（ミシン目あるいは薄肉構成による易破断部）が、また、前記熱融着性テープ付き粘着両面テープの右取付体５の付近に前記熱融着性テープ付き粘着両面テープの長手方向を横断する方向に第２の易破断部２０Ｂ（ミシン目あるいは薄肉構成による易破断部）が、それぞれ設けられている。
【００２０】
従って、上述したマスクＭによれば、熱融着性テープ付き粘着両面テープを使用しているため、マスクＭの装着にあっては、実施例１と同様、例えば、図６に示す方向に広げ、その際、粘着部６ａの使用を嫌う使用者には、熱融着性テープ２０を剥がさず、そのまま使用するマスクＭを提供してマスクＭの使用の選択ができ、しかも、熱融着性テープ付き粘着両面テープは、一端を左取付体４とマスク本体１との間に、他端を右取付体５とマスク本体１との間に位置し、マスク本体１の上端縁に平行に沿って設けられ、左取付体４と熱融着性テープ付き粘着両面テープの一端とが交差する部位は第１の交差部位Ｘ（図１４参照）であり、左取付体４の第１の交差部位Ｘ（図１４参照）の手前の位置において、左取付体４とマスク本体１とが付着し、左取付体４の第１の交差部位Ｘ（図１４参照）を超えた位置において、左取付体４とマスク本体１とが付着し、右取付体５と熱融着性テープ付き粘着両面テープの他端とが交差する部位は第２の交差部位Ｙ（図１４参照）であり、右取付体５の第２の交差部位Ｙ（図１４参照）の手前の位置において、右取付体５とマスク本体１とが付着し、右取付体５の第２の交差部位Ｙ（図１４参照）を超えた位置において、右取付体５とマスク本体１とが付着しているため、熱融着性テープ付き粘着両面テープの取り付け付近の左取付体４及び右取付体５のめくれを防止し、熱融着性テープ付き粘着両面テープがマスク本体１から離脱するのを防ぐことができる。
なお、実施例２、３においては、剥離紙付き粘着両面テープ６をマスク本体１に付着させ、付着後、剥離紙付き粘着両面テープ６から剥離紙６ｂを取り外した残部に剥離テープ１０又は熱融着性テープ２０を付着させるようにしたが、本願発明にあっては、これに限らず、図示しないが、予め、粘着両面テープの粘着部の幅より広い幅の剥離テープ、又は、熱融着性テープを粘着両面テープの一方の粘着部に付着させたものをそのままマスク本体１に使用しても良い。
【図面の簡単な説明】
【００２１】
【図１】図１は、本発明の一実施例のマスクを装着側から見た概略的図である。
【図２】図２は、図１の２−２線による概略的断面図である。
【図３】図３は、図１の３−３線による概略的断面図である。
【図４】図４は、図１の４−４線による概略的断面図である。
【図５】図５は、図１のマスクから剥離紙を剥がしている状態を示す概略的図である。
【図６】図６は、図５のマスクから剥離紙を剥がして装着する前の状態の概略的図である。
【図７】図７は、図６のマスクを装着した概略的断面図である。
【図８】図８は、図１のマスクと異なる他の実施例のマスクを装着側から見た概略的図で、剥離テープを一部剥離させている状態を示している。
【図９】図９は、図８の９−９線による概略的断面図である。
【図１０】図１０は、図８のマスクを形成する過程のマスク本体の概略的図である。
【図１１】図１１は、図１０の１１−１１線による概略的断面図である。
【図１２】図１２は、図１１のマスク本体に剥離テープ、左耳掛け部、左取付体、右耳掛け部及び右取付体が付着した状態の概略的断面図である。
【図１３】図１３は、図８のマスクと異なる他の実施例のマスクを装着側から見た概略的図である。
【図１４】図１４は、図１３の１４−１４線による概略的断面図である。
【図１５】図１５は、図１３のマスクから熱融着性テープを剥がしている状態を示す概略的図である。
【図１６】図１６は、図１３のマスクを形成する過程のマスク本体の概略的図である。
【図１７】図１７は、図１６の１７−１７線による概略的断面図である。
【図１８】図１８は、図１７のマスク本体に左耳掛け部、左取付体、右耳掛け部及び右取付体を付着する前の状態の概略的断面図である。
【図１９】図１９は、図１８のマスク本体に左耳掛け部、左取付体、右耳掛け部及び右取付体が付着した状態の概略的断面図である。
【符号の説明】
【００２２】
Ｍ        マスク
１        マスク本体
４        左取付体
５        右取付体
６        剥離紙付き粘着両面テープ
６ａ      粘着部
６ｂ      剥離紙
【図１】
2011110306.tif 000003
【図２】
2011110306.tif 000004
【図３】
2011110306.tif 000005
【図４】
2011110306.tif 000006
【図５】
2011110306.tif 000007
【図６】
2011110306.tif 000008
【図７】
2011110306.tif 000009
【図８】
2011110306.tif 000010
【図９】
2011110306.tif 000011
【図１０】
2011110306.tif 000012
【図１１】
2011110306.tif 000013
【図１２】
2011110306.tif 000014
【図１３】
2011110306.tif 000015
【図１４】
2011110306.tif 000016
【図１５】
2011110306.tif 000017
【図１６】
2011110306.tif 000018
【図１７】
2011110306.tif 000019
【図１８】
2011110306.tif 000020
【図１９】
2011110306.tif 000021